(57)【要約】【課題】一旦決めた火力がずれることのない炊飯器を提供することを目的とする。【解決手段】本実施例の炊飯器１によれば、一旦好みの火力にセットした後に、スリット孔１９に固定部材２１を嵌め込むと、火力調節レバー１３の火力調節位置を固定することができ、常に同一火力で同一品質の炊飯が可能となる。しかも、スリット孔１９に固定部材２１を嵌め込むといった簡単な構成で火力を固定できるため、大きなコストアップをすることなく安価に実施できる。  さらに、スリット孔１９を塞いでいるため、スリット孔１９からごみやほこりが器具内に入り込むことも防止できるし、開口部がなくなることにより、器具の外観がすっきりとまとまりデザイン性も向上する。【選択図】図８
2005065810.tif 000002
【特許請求の範囲】
【請求項１】
炊飯量に応じて火力を調節する火力調節レバーの設定操作に連動してバーナへの燃料ガス供給量を調節する火力調節手段を備えた炊飯器において、
上記火力調節レバーの調節位置を固定する固定手段を設けたことを特徴とする炊飯器。
【請求項２】
上記火力調節レバーは、器体パネルに形成されたスリット状の開口をスライド可能に挿通して設けられ、該火力調節レバーの該スリット状開口内でのスライド位置に応じた火力に調節するものであり、
上記固定手段は、上記スリット状開口に嵌合可能な棒板状に成形され、その表面には、複数の炊飯量目盛り線が設けられ、各炊飯量目盛り線の位置には、分断用スリットが形成されており、所望目盛り線位置の分断用スリットで二部材に分断された該棒板状部材を上記スリット状開口に上記火力調節レバーの両側を挟み込むようにして嵌合することにより該火力調節レバーを所望の調節位置に固定することを特徴とする請求項１記載の炊飯器。
【発明の詳細な説明】
【技術分野】
【０００１】
本発明は、炊飯量に応じて火力が調節できる炊飯器に関する。
【背景技術】
【０００２】
従来から、ガス炊飯器の中には、バーナの火力を炊飯量に応じて調節して炊き上がり状態を炊飯量によらず均一にできるようにしたものが知られている。
このような炊飯器では、図２、図３に示すように、バーナの火力を調節するための火力調節レバー１３が設けられており、この火力調節レバー１３を炊飯量に応じて調節すると、その炊飯量に最適となる火力でご飯が炊け、おいしく炊き上げることができる（例えば、特許文献１参照）。
【特許文献１】特開平１０−２９０７４７号公報
【発明の開示】
【発明が解決しようとする課題】
【０００３】
しかしながら、上述したような炊飯器では、ちょっとしたはずみで火力調節レバー１３に触れただけで火力調節位置が変わり易く、常に同じ火力調節位置で同一炊飯することが難しいという問題があった。
特に、飲食店等で使用される業務用の炊飯器では、同一量で同一品質のご飯を何回も炊く必要があるため、一旦決めた火力が変化してしまうことは大きな問題となっていた。
本発明は上記課題を解決し、一旦決めた火力がずれることのない炊飯器を提供することを目的とする。
【課題を解決するための手段】
【０００４】
上記課題を解決する本発明の請求項１記載の炊飯器は、
炊飯量に応じて火力を調節する火力調節レバーの設定操作に連動してバーナへの燃料ガス供給量を調節する火力調節手段を備えた炊飯器において、
上記火力調節レバーの調節位置を固定する固定手段を設けたことを要旨とする。
【０００５】
また、本発明の請求項２記載の炊飯器は、上記請求項１記載の炊飯器において、
上記火力調節レバーは、器体パネルに形成されたスリット状の開口をスライド可能に挿通して設けられ、該火力調節レバーの該スリット状開口内でのスライド位置に応じた火力に調節するものであり、
上記固定手段は、上記スリット状開口に嵌合可能な棒板状に成形され、その表面には、複数の炊飯量目盛り線が設けられ、各炊飯量目盛り線の位置には、分断用スリットが形成されており、所望目盛り線位置の分断用スリットで二部材に分断された該棒板状部材を上記スリット状開口に上記火力調節レバーの両側を挟み込むようにして嵌合することにより該火力調節レバーを所望の調節位置に固定することを要旨とする。
【発明の効果】
【０００６】
上記構成を有する本発明の請求項１記載の炊飯器は、固定手段が火力調節レバーの調節位置を固定することによって、一旦火力を決めると、常に同一火力で同一品質の炊飯が可能となる。このため、誤って火力調節レバーに触れてしまっても、火力調節レバーが動くことはなく、ご飯を常に所望の状態で炊き上げることができる。
【０００７】
また、本発明の請求項２記載の炊飯器は、火力調節レバーが動くスリット状開口に棒板状の固定手段を嵌合することによって、火力調節レバーの位置を固定して、バーナの火力を固定する。このように簡単な構成によって、火力調節レバーの調節位置固定が可能となるので、安価に実施できる。
しかも、スリット状開口を塞いでいるため、スリット状開口からごみやほこりが器具内に入り込むことも防止できるし、開口部がなくなることにより、器具の外観がすっきりとまとまりデザイン性も向上する。
【発明を実施するための最良の形態】
【０００８】
一旦決めた火力調節位置で常に同一火力で同一品質の炊飯を可能にするという目的を、大きなコストアップすることなく実現した。
【実施例１】
【０００９】
以上説明した本発明の構成・作用を一層明らかにするために、以下本発明の炊飯器の好適な実施例について説明する。
本発明の実施例１としての炊飯器１は、図１に示すように、米、水を収納する釜２と、釜２を燃焼加熱するバーナ３と、バーナ３へ燃料ガスを供給するガス供給部４と、点火・消火・火力調節を操作する操作部５とからなる。このバーナ３には、点火操作と連動して燃料ガスへ着火する点火器６と、燃料ガスを放出して点火を補助する点火パイロットバーナ７とが設けられるとともに、燃焼熱によって熱起電力を発生する熱電対９が設けられる。
【００１０】
ガス供給部４には、上流より、点火レバー１０による点火操作により押動されてガス流路を開き、燃焼時に熱電対９による熱起電力によって開弁状態に保持されるマグネット式安全弁１１と、同じく、点火操作によりガス流路を開閉するメイン弁１２と、後述する火力調節レバー１３による上下のスライド操作によりバーナ３への燃料ガス流量を調節するニードル弁１４とが設けられ、その下流でバーナ３に連通されている。
また、マグネット式安全弁１１とメイン弁１２間の流路から一つの流路が分岐され、この流路は点火パイロットバーナ７へ連通している。また、この分岐路には、流路を開閉する点火パイロット弁１５が設けられる。
【００１１】
操作部５には、点火操作が行われる点火レバー１０と、火力調節が行われる火力調節レバー１３とが設けられる。点火レバー１０は、点火操作によってマグネット式安全弁１１、メイン弁１２、点火パイロット弁１５を開弁し、センサ部１８の感温メタル２７を釜底に当接し、点火器６を作動するように設けられる。
また、火力調節レバー１３は、調節操作によってニードル弁１４の開度を変えてバーナ３への火力を調節するように設けられる（図２に炊飯器の外観図、図３に火力調節レバー部の拡大図を示す）。尚、点火レバー１０は、点火操作によって停止位置から終端位置まで押動され、手を離すと点火パイロット弁１５を閉弁し、マグネット式安全弁１１の閉弁を自由とする位置まで戻って係止され、メイン弁１２の開弁を保つ関係に設けられる。
【００１２】
ここで、火力調節レバー１３について、図３、図４、図５を用いて説明する。尚、図４は、図３中の一点鎖線Ａ−Ａでの断面図であり、図５は、図３中の一点鎖線Ｂ−Ｂでの断面図である。
火力調節レバー１３は、器体パネル前面下部に、垂直方向に開口されたスリット孔１９を挿通して設けられる。火力調節レバー１３の先端には、つまみ２０が取り付けられる。スリット孔１９の周りには、火力調節レバー１３の調節位置に対する最適な炊飯量が表示される（２０合、１６合、１２合、８合）。
そして、火力調節レバー１３をスリット孔１９内を手で上下にスライドさせることにより、炊飯量に応じた所望の火力となるようにニードル弁１４の開度が変えられる。
【００１３】
また、本実施例の炊飯器１には、図６に示すように、火力調節レバー１３の調節位置を固定するための、器具本体とは別部材からなる固定部材２１が備えられる。この固定部材２１は、スリット孔１９に嵌合可能な棒板状に成型された樹脂部材であり、上部と下部がそれぞれ中間部２２よりも幅広に形成され、上段部２３と下段部２４とが全周にわたって形成される。中間部２２及び下段部２４は、中空に形成され、断面が略コの字状となる。このため、中間部２２や下段部２４を横から押すと樹脂が弾性変形して内側に狭まり、押すのを止めると復元力によって元の形に戻る。
また、中間部２２の幅は、スリット孔１９の幅とほぼ同じ幅に形成される（ここでいう幅とは、火力調節レバー１３のスライド方向に対して直交する方向をいう）。中間部２２の長手方向の長さもスリット孔１９の長さとほぼ同じ長さに形成される。
【００１４】
固定部材２１の表面には、複数の炊飯量目盛り線２５（２０合、１６合、１２合、８合）が設けられ、各炊飯量目盛り線２５の位置には、分断用のスリット２６がその両側を残して設けられ、各炊飯量目盛り位置で二つの部材に分断できるようになっている（図７）。また、炊飯量目盛り線２５もスリット状に開口されている。このスリット状の開口の幅は、火力調節レバーの板厚とほぼ同じ幅に形成される。
そして、この分断した二つの固定部材２１を火力調節レバー１３を中心として火力調節レバー１３の両側を挟み込むようにして、スリット孔１９に嵌め込むことによって、火力調節レバー１３の調節位置が固定できる。
【００１５】
次に、点火・消火時の各部の動作を図１に基づいて説明する。
停止状態では、センサ部１８は釜底面から離脱しているためにメイン弁１２を閉弁している。この状態で、点火レバー１０に押圧操作がされると、マグネット式安全弁１１、メイン弁１２、点火パイロット弁１５が順次開弁し、センサ部１８を釜底に押しつけて吸着させるとともに、点火器６を作動する。そして、この一連の動作により、燃料ガスがバーナ３、点火パイロットバーナ７に供給されて点火する。また、マグネット式安全弁１１には燃焼炎に臨む熱電対９からの発生電流が流れ、この熱起電力によってマグネット式安全弁１１が開弁保持される。更に、センサ部１８は感温メタル２７の吸着力が戻しバネ２８の力に打ち勝って釜底に吸着し、釜底との当接状態が保持される。
この押圧操作の後、手を離すと、点火レバー１０が、メイン弁１２を開弁したまま、点火パイロット弁１５を閉じるとともに、マグネット式安全弁１１の閉弁を自由とする位置まで戻って係止され、燃焼が継続される。
【００１６】
また、消火に際しては、点火レバー１０を持ち上げることによって点火レバー１０が停止位置まで戻り、メイン弁１２が閉じて消火をする。
【００１７】
また、炊飯時には、火力調節レバー１３でバーナ３の火力を調節することにより、ニードル弁１４の開度が調節され各炊飯量に応じた最適な火力でおいしくご飯を炊くことができる。例えば、１６合のお米を炊く場合には、火力調節レバー１３を１６合と表示されている火力調節位置にセットする。
そして、このように好みの火力に火力調節レバー１３をセットした後に、図８に示すように、固定部材２１を二つの部材に破断し（この場合には、１６合の炊飯量目盛り線２５の位置のスリット２６で破断）、それぞれの固定部材２１を火力調節レバー１３をスライド方向の両側から挟み込むようにしてスリット孔１９に嵌め込むことによって、火力調節レバー１３の火力調節位置をメカ的に固定することができる。
この際、固定部材２１の下段部２４からスリット孔１９内に押し込んでいくと、固定部材２１が中空なため、下段部２４及び中間部２２が樹脂の弾性変形により内側に狭まってスリット孔１９内に固定部材２１が入り込んでいく。さらに押し込んでいき下段部２４がスリット孔１９に完全に押し込まれると、カチッと音がして中間部２２がスリット孔１９にはまり込んで（図９、図１０参照）、スリット孔１９の隙間を塞いで火力調節レバー１３の動きを禁止するのである。この際、下段部２４がスリット孔１９の幅よりもひろいため、抜け止めとなる。
【００１８】
以上説明したように、本実施例の炊飯器１によれば、一旦好みの火力にセットした後に、スリット孔１９に固定部材２１を嵌め込むと、火力調節レバー１３の火力調節位置を固定することができ、常に同一火力で同一品質の炊飯が可能となる。しかも、スリット孔１９に固定部材２１を嵌め込むといった簡単な構成で火力を固定できるため、大きなコストアップをすることなく安価に実施できる。
さらに、スリット孔１９を塞いでいるため、スリット孔１９からごみやほこりが器具内に入り込むことも防止できるし、開口部がなくなることにより、器具の外観がすっきりとまとまりデザイン性も向上する。
また、炊飯量目盛り線２５のスリット状開口の幅と火力調節レバー１３の板厚とを同一寸法としておくことで、火力調節レバー１３の上下両側も固定部材２１で覆うことができ、一層見栄えが良くなる。さらに、このスリット状開口の長さと火力調節レバー１３の幅を同一寸法にすれば、火力調節レバー１３の周囲を完全に覆うことができる。
【００１９】
以上本発明の実施例について説明したが、本発明はこうした実施例に何等限定されるものではなく、本発明の要旨を逸脱しない範囲において、種々なる態様で実施し得ることは勿論である。
【産業上の利用可能性】
【００２０】
業務用や家庭用の炊飯器に適用可能である。
【図面の簡単な説明】
【００２１】
【図１】実施例１としての炊飯器の概略構成図である。
【図２】実施例１としての炊飯器の外観図である。
【図３】実施例１としての火力調節レバー部の拡大図である。
【図４】実施例１としての火力調節レバー部の断面図である。
【図５】実施例１としての火力調節レバー部の断面図である。
【図６】実施例１としての固定部材の外観図である。
【図７】実施例１としての固定部材の外観図である。
【図８】固定部材をスリット孔に嵌め込む状態を説明した図である。
【図９】固定部材をスリット孔に嵌め込んだ状態での火力調節レバー部の断面図である。
【図１０】固定部材をスリット孔に嵌め込んだ状態での火力調節レバー部の断面図である。
【符号の説明】
【００２２】
１  炊飯器
３  バーナ
１３  火力調節レバー
１４  ニードル弁
１９  スリット孔
２１  固定部材
２５  炊飯量目盛り線
２６  スリット
【図１】
2005065810.tif 000003
【図２】
2005065810.tif 000004
【図３】
2005065810.tif 000005
【図４】
2005065810.tif 000006
【図５】
2005065810.tif 000007
【図６】
2005065810.tif 000008
【図７】
2005065810.tif 000009
【図８】
2005065810.tif 000010
【図９】
2005065810.tif 000011
【図１０】
2005065810.tif 000012